(57)【要約】【課題】製品が意図しない方向に流れ出すことがなく正確な塗布が可能な、化粧製品のための塗布ノズルと、当該塗布ノズルを含む化粧製品用の収容／塗布ユニットを提供する。【解決手段】毛髪に塗布するための製品を含む容器（１２）に搭載されるように設計した塗布ノズル（１４）であって、当該ノズル（１４）を容器（１２）に取り付けるように設計された手段と、第１および第２の端部歯（２２）を含めて少なくとも１列に配置された少なくとも２つの歯（１６，２２）からなる構造とを有し、当該構造においては、少なくとも１つの歯（１６）には容器（１２）に収容された製品が流入することが可能な流路（２８）が長手方向に通っており、当該流路（２８）は少なくとも１つの出口（２０）を介して少なくとも１つの隣接する歯（１６，２２）の方向に向かって側方に開口する、塗布ノズルを提供する。本構造は、前記出口（２０）から流出した製品が、前記第１および第２端部歯（２２）を越えて流れ出るのを防ぐように構成された、単一の金型（４０）により成形することにより形成される。【選択図】図１
2004089705.tif 000002
【特許請求の範囲】
【請求項１】
　毛髪への塗布を目的とする製品を収容する容器（１２）に搭載されるように設計された塗布ノズル（１４）であって、
　ａ）ノズル（１４）を容器（１２）に取り付けるように設計された手段と
　ｂ）第１および第２の端部の歯（２２）を含めて少なくとも１列に配設された少なくとも２つの歯（１６，２２）からなり、少なくとも１つの歯（１６）には容器（１２）内に収容された製品が流入することが可能な長手方向の流路（２８）が歯の全長に亘って設けられており、該流路（２８）が少なくとも１つの隣接する歯（１６，２２）の方向に向く少なくとも１つの出口（２０）を介して側方に開口している構造と
を含み、当該構造は、
　　　ｉ）単一の金型により形成され、且つ
　　　ｉｉ）前記出口（２０）から分配された製品が第１および第２端部歯（２２）を越えて流れ出るのを防ぐように構成され、出口（２０）は、当該出口（２０）から前記歯（１６）の自由端まで長手方向に伸びる開先（２６）に開口している、
塗布ノズル。
【請求項２】
　前記第１および第２端部歯（２２）の間に配置された少なくとも１つの中間歯（１６）を含み、当該中間歯（１６）には隣接する歯（１６，２２）の方向に向く少なくとも１つの出口（２０）を介して側方に開口する流路（２８）が全長に亘って設けられていることを特徴とする、請求項１に記載の塗布ノズル（１４）。
【請求項３】
　１または複数の中間歯（１６）は、互いに反対方向を向く２つの出口（２０）を介して開口する長手方向の流路（２８）を全長に亘って有することを特徴とする、請求項２に記載の塗布ノズル（１４）。
【請求項４】
　端部歯（２２）には前記構造外部の一方向に開口する出口（２０）がないことを特徴とする、請求項１ないし３のいずれか１項に記載の塗布ノズル（１４）。
【請求項５】
　端部歯（２２）は出口（２０）を持たないことを特徴とする、請求項４に記載の塗布ノズル（１４）。
【請求項６】
　端部歯（２２）が硬質であることを特徴とする、請求項５に記載の塗布ノズル（１４）。
【請求項７】
　前記出口（２０）が歯（１６）の自由端近傍に位置することを特徴とする請求項１ないし６のいずれか１項に記載の塗布ノズル（１４）。
【請求項８】
　取り付け手段がねじ山（３６）からなり、容器（１２）の首部に設けられた対応するねじ山と螺合するように設計されていることを特徴とする、請求項１ないし７のいずれか１項に記載の塗布ノズル（１４）。
【請求項９】
　請求項１ないし８のいずれか１項に記載の塗布ノズル（１４）に取り付けられる容器（１２）を含むことを特徴とする、化粧製品用の収容／塗布ユニット。
【請求項１０】
　請求項１ないし８のいずれか１項に記載の塗布ノズル（１４）を成形するための金型（４０）であって、
　−　少なくとも部分的に取り付け手段を形成する第１部分（４４）と、少なくとも１つの歯（１６，２２）を形成するように設計された、第１部分（４４）から伸びる少なくとも１つの第２部分（４６，４８）とを含む雌要素（４２）と、
　−　雌要素（４２）の第１部分（４４）にゆるく嵌合して取り付け手段を形成する第１部分（５６）と、雌要素の第２部分（４８）にゆるく嵌合して中空歯（１６）の長手方向の流路（２８）を形成する少なくとも１つの第２部分（５８）を有し、中子を形成する雄要素（４３）と
を含み、雄要素（４３）の第２部分（５８）と雌要素の第２部分（４８）が協働して１つの中空歯（１６）の開先（２６）と出口（２０）を形成することを特徴とする金型（４０）。
【請求項１１】
　−　雌要素の１つの第２部分（４８）の少なくとも１つの内側側面（５０）は、雌要素の第２部分（４８）の内部に向かって突出し、雌要素の第２部分（４８）とその端部（５４）との間を長手方向に伸びて、開先（２６）と中空歯（１６）の出口（２０）の一部を形成するための隆起（５２）を含むことと、
　−　前記雌要素の第２部分（４８）と噛み合う雄要素（４３）の第２部分（５８）の一端（６０）は、雌要素（４２）の第２部分（４８）の中間部に位置する隆起（５２）の端（６２）とぴったりと嵌合し、前記中空歯（１６）の出口（２０）の別の部分を形成するように設計されていること、
とを特徴とする、請求項１０に記載の金型（４０）。
【請求項１２】
　請求項５ないし８のいずれか１項に記載の塗布ノズル（１４）を成形するための、請求項１０または１１に記載の金型（４０）であって、
　−　雌要素（４２）が
　　　・雌要素の第１部分（４４）から伸びて、塗布ノズル（１４）の硬質の端部歯（２２）を形成する２つの第２部分端部（４６）と
　　　・雌要素の第２部分端部（４６）の間に配置され、雌要素の第１部分（４４）から伸びて少なくとも１つの中間中空歯（１６）を形成するように設計され、その互いに反対側を向く内部側面（５０）に、前記中間中空歯（１６）の２つの反対方向を向く開先（２６）と２つの反対方向を向く出口（２０）の一部とを形成するための隆起（５２）を有する、少なくとも１つの第２部分中間部（４８）と
を含むことと、
　−　雌要素の第２部分中間部（４８）と噛み合う雄要素（４３）の各第２部分（５８）の一端（６０）は、雌要素（４２）の各第２部分中間部（４８）の中間部に位置する隆起（５２）の端（６２）の間にぴったりと嵌合して前記中間中空歯（１６）の出口（２０）の別の部分を形成するように設計されること
とを特徴とする、金型（４０）。
【請求項１３】
　雌要素の第２部分（４８）の長手方向に垂直な平面（Ｐ）における各隆起（５２）の断面は、関連する中空歯（１６）を取り外すことができるように、一定か、または雌要素の各第２部分（４８）の中間部分に位置する内部端（６２）に向かうにつれて小さくなっていることを特徴とする、請求項１１または１２に記載の金型（４０）。
【請求項１４】
　雌要素（４２）および雄要素（４３）のそれぞれが、金型（４０）を組み立てる際に互いに係合する位置合わせ手段を含むことを特徴とする請求項１０ないし１３のいずれか１項に記載の金型（４０）。
【請求項１５】
　位置合わせ手段が長手方向に向く少なくとも３つのガイド柱を含み、当該ガイド柱は雄または雌要素（４２，４３）の１つと一体式で、金型（４０）を組み立てる際にはその上に他の雌または雄要素（４２，４３）をスライドさせることができることを特徴とする、請求項１４に記載の金型（４０）。
【請求項１６】
　請求項１０ないし１５のいずれか１項に記載の金型（４０）を使用して、請求項１ないし８のいずれか１項に記載の塗布ノズル（１４）を成形する方法であって、
　−　雌要素（４２）に雄要素（４３）をはめ込む第１段階と
　−　雌要素および雄要素（４２，４３）の間にポリマー材を注入する第２段階と
　−　ポリマー材を硬化させる第３段階と
　−　雌要素（４２）を雄要素（４３）から取り外し、塗布ノズル（１４）を金型（４０）から取り出す第４段階と
を含むことを特徴とする方法。
【請求項１７】
　毛髪への塗布を目的とする製品を収容する容器（１２）に搭載されるように設計された塗布ノズル（１４）であって、
　ａ）ノズル（１４）を容器（１２）に取り付けるように設計された手段と
　ｂ）第１および第２の端部の歯（２２）を含めて少なくとも１列に配設された少なくとも２つの歯（２６，２２）からなり、少なくとも１つの歯（１６）には容器（１２）内に収容された製品が流入することが可能な長手方向の流路（２８）が歯の全長に亘って設けられており、該流路（２８）が少なくとも１つの隣接する歯（１６，２２）の方向に向く少なくとも１つの出口（２０）を介して側方に開口している構造と
を含み、前記歯は、前記歯（１６）の長手方向に伸びる開先（２６）を有し、当該開先（２６）は前記歯（１６）の自由端に第１端および第２端を有し、出口（２０）が当該第１端で開先に開口していることを特徴とする、
塗布ノズル。
【請求項１８】
　　毛髪への塗布を目的とする製品を収容する容器（１２）に搭載されるように設計された塗布ノズル（１４）であって、
　ａ）ノズル（１４）を容器（１２）に取り付けるように設計された手段と
　ｂ）第１および第２の端部の歯（２２）を含めて少なくとも１列に配設された少なくとも２つの歯（１６，２２）からなり、少なくとも１つの歯（１６）には容器（１２）内に収容された製品が流入することが可能な長手方向の流路（２８）が歯の全長に亘って設けられており、該流路（２８）が少なくとも１つの隣接する歯（１６，２２）の方向に向く少なくとも１つの出口（２０）を介して側方に開口している構造と
を含み、当該構造は、
　　　ｉ）単一の金型により形成され、且つ
　　　ｉｉ）前記出口（２０）から分配された製品が第１および第２端部歯（２２）を越えて流れ出るのを防ぐように構成され、端部歯は出口を持たないことを特徴とする、塗布ノズル。
【発明の詳細な説明】
【技術分野】
【０００１】
　本発明は、毛髪への化粧製品の塗布が容易に行えるように設計された塗布ノズルを組み込んだ、化粧製品用の収容／塗布ユニットに関する。
　具体的には、本発明は毛髪への塗布を目的とする化粧製品を収容する容器の上に取り付けられるように設計された塗布ノズルに関し、当該ノズルは：
　ａ）ノズルを容器の上に取り付けるように設計された手段と
　ｂ）第１および第２の端部の歯を含めて少なくとも１列に配設された少なくとも２つの歯からなり、少なくとも１つの歯には容器内に収容された製品が流入することが可能な長手方向流路が歯の全長に亘って設けられており、該流路が少なくとも１つの隣接する歯の方向に向く少なくとも１つの出口を介して側方に開口している構造と
を含む。
【背景技術】
【０００２】
　この種の塗布ノズルには多数の例が周知である。
【０００３】
　第１の従来型の設計では、複数の成形部品からなるノズルが提案されており、そのようなノズルは特に、横端部に２つの長手方向に伸びる歯と、容器への取り付け手段とを含む第１部分、および、第１部分と組み合わさるように設計された、側方出口を有する中間中空歯を含む、少なくとも１つの第２中間部分を備える。
【０００４】
　このような設計を実行するにはまず第１部品と第２中間部品とに使用する金型がそれぞれ個別に２つ必要となり、次いで第１部品と第２部品を組み立てる必要があるために製作費用も上昇するので、このような塗布ノズルの製造原価は高い。
【０００５】
　ＤＥ９４１９６６０に複数の部品からなるノズルが開示されている。
【特許文献１】独国特許発明第９４１９６６０号
【０００６】
　第２の従来型の設計では、単一の成形部品からなるノズルが提案されている。成形部分は、塗布ノズルの外側の壁を形成するように形成された型と、中空の歯からなる流路を形成するように形成された第１の中子とにより得られるもので、型の全体を通過する第２の可動式中子が設けられており、第１の中子が側方出口を形成している。結果として得られる塗布ノズルの端部の歯は、成形の段階で第２の中子により確実に穿孔され、側方に出口を有する。このため、このような塗布ノズルでは正確な塗布ができず、端部の歯の外部側面に化粧製品が流れ出すために使用しづらい。
【０００７】
　ＵＳ６２６０５５７およびＤＥ１９９５４４５０に単一部品からなるノズルが開示されている。これら２つの特許文献によると、端部の歯が出口を有している。また、これら２つの特許文献によると、出口は歯の滑らかな方の面に開口している。このため、出口から分配された製品は特定の方向に向かうことなく歯間にランダムに広がり、その粘度に関わらず歯に沿って滑る。その結果、製品は隣接する歯の間の毛髪に適切に行き渡らないまま頭皮に達することとなる。
【特許文献２】米国特許第６２６０５５７号
【特許文献３】独国特許発明第１９９５４４５０号
【０００８】
　第１特許文献によると、出口は歯の自由端に設けられた開先に開口する。つまり、出口は歯の自由端で開口する。
【発明の開示】
【０００９】
　本発明は、上述のような塗布ノズル、すなわち、出口から分配された製品が第１および第２端部歯を越えて流れ出るのを防ぐように設計された、単一の型により形成される構造を有し、当該出口から自由端まで当該端部歯の長手方向に伸びる開先に開口する出口を有する塗布ノズルを提供することにより、従来品の欠点を少なくとも部分的に矯正するものである。
【００１０】
　本発明はまた、上述のような塗布ノズル、すなわち、歯の長手方向に伸びる開先が設けられており、該開先は歯の自由端に第１端および第２端を有し、出口が当該第１端で開先に開口している塗布ノズルを提供することにより、従来品の欠点を少なくとも部分的に矯正するものである。
【００１１】
　開先は化粧製品を運搬するように設計されている一方、製品の液滴が歯の端部に近づくと、毛管作用により製品の流動速度を低下させ、製品が頭皮に達するのを防ぐ働きを有する。
【００１２】
　本発明はまた、上述のような塗布ノズル、すなわち、出口から分配された製品が第１および第２端部歯を越えて流れ出るのを防ぐように設計された、単一の型により形成される構造を有し、端部歯には出口がない塗布ノズルを提供することにより、従来品の欠点を少なくとも部分的に矯正するものである。
【００１３】
　本発明の他の特徴によれば： 
　−　本発明の構造は、前記第１および第２端部歯の間に配置された少なくとも１つの中間歯を含むことができ、当該中間歯には流路が貫通し、当該流路は隣接する歯の方向に向く少なくとも１つの出口を介して側方に開口する構造とすることができる。
　−　１または複数の中間歯は、互いに反対方向を向く２つの出口を介して開口する長手方向の流路を全長に亘って有することができる。
　−　端部歯には、前記構造外部の一方向に開口する出口がなくてもよい。
　−　端部歯には出口が全くなくてもよい。
　−　長手方向の端部歯を硬質にすることができる。
　−　前記出口は歯の自由端近傍に配置することができる。つまり、歯の根元より自由端に近い位置に出口を配置することができる。
　−　取り付け手段は、容器の首部に設けられたねじ山と螺合するねじ山とすることができる。
【００１４】
　本発明はまた、化粧製品のための収容／塗布ユニットに関し、当該ユニットは前記のような塗布ノズルが取り付けられる容器を含むことができる。
【００１５】
　本発明はまた、上述のような塗布ノズルの成形に使用する金型にも関し、当該金型は：
　−　少なくとも部分的に取り付け手段を形成する第１部分と、少なくとも１つの歯を形成するように設計された、第１部分から伸びる少なくとも１つの第２部分とを含む雌要素と
　−　雌要素の第１部分にゆるく嵌合して取り付け手段を形成する第１部分と、雌要素の第２部分にゆるく嵌合して中空歯の長手方向の流路を形成する少なくとも１つの第２部分とを有し、中子を形成する雄要素と
を含むことができ、当該金型においては、雄要素の第２部分と雌要素の第２部分は協働して１つの中空歯の開先と出口とを形成することができる。
【００１６】
　本発明の金型の他の特徴によれば：
　−　雌要素の１つの第２部分の少なくとも１つの内側側面には、雌要素の第２部分の内部に向かって突出し、雌要素の第２部分の中間部とその端部との間に伸びて、開先と中空歯の出口の一部を形成するための長手方向の隆起を設けることができる。
　−　前記雌要素の第２部分と噛み合う雄要素の第２部分の一端は、前記雌要素の第２部分の中間部に位置する隆起の端とぴったりと嵌合し、前記中空歯の出口の別の部分を形成するように設計することができる。
　−　雌要素は以下を含むことができる。
　　　・雌要素の第１部分から伸びて、塗布ノズルの硬質の端部歯を形成する２つの第２部分端部。
　　　・雌要素の２つの第２部分端部の間に配置され、雌要素の第１部分から伸びて少なくとも１つの中間中空歯を形成するように設計され、その両側の内部側面には、当該中間中空歯に２つの反対方向を向く開先と２つの反対方向を向く出口の一部とを形成するための隆起を有する、少なくとも１つの第２部分中間部。
　−　雌要素の第２部分中間部と噛み合う雄要素の各第２部分の一端は、雌要素の各第２部分中間部の中間部分に位置する隆起の端の間にぴったりと嵌合し、前記中間中空歯の出口の別の部分を形成するように設計することができる。
　−雌要素の第２部分の長手方向に垂直な平面で見た各隆起の断面は、成形した中空歯を取り外すことができるように、一定か、または雌要素の各第２部分の中間部分に位置する内部端に向かうにつれて小さくすることができる。
　−　雌要素および雄要素はそれぞれ、金型を組み立てる際に互いに係合する位置合わせ手段を含むことができる。
　−　位置合わせ手段は長手方向に向く少なくとも３つのガイド柱を含むことができ、当該ガイド柱は雄または雌要素の１つと一体式で、金型を組み立てる際にはその上で他の雌または雄要素をスライドさせることができる。
【００１７】
　本発明はまた、上述のような金型により、化粧製品用の収容／塗布ユニットに使用する塗布ノズルを成形する方法に関し、当該方法は：
　−　雌要素に雄要素をはめ込む第１段階と
　−　雌要素と雄要素との間にポリマー材を注入する第２段階と
　−　ポリマー材を硬化させる第３段階と
　−　雌要素を雄要素から取り外し、塗布ノズルを金型から取り出す第４段階と
を含む。
【００１８】
　本発明のほかの特徴および利点は、本発明の完全な理解のために添付図面を参照する以下の詳細な説明から明らかにする。
【発明を実施するための最良の形態】
【００１９】
　以降の説明では、同一または同様の機能を有する部分に同一の参照番号を使用する。
【００２０】
　慣習的に、「前」「後」「上方」および「下方」という表現は、図１ないし５のそれぞれ左、右、上および下方向の要素または位置を示す。
【００２１】
　図１は、化粧製品、例えば染料など毛髪に塗布する化粧製品のための収容および塗布ユニット１０を示す。
【００２２】
　従来の方法により、ユニット１０は、化粧製品を収容する容器１２と、取り付け具により容器１２に固定された塗布ノズル１４とを含む。
【００２３】
　容器１２は、例えば、内部流路を介して化粧製品を出口２０から出すために圧迫することが必要な、チューブなどの柔軟なまたは変形可能な容器である。
【実施例１】
【００２４】
　非限定的な実施例として示す塗布ノズル１４の実施形態を、図２を参照して以下に説明する。
【００２５】
　ノズル１４は横一列に並ぶ長手方向の歯からなる構造を有する。当該列は：
　−　横端部に、少なくとも２つの硬質の長手方向の歯２２と
　−　硬質の歯２２の間に、少なくとも１つの長手方向に伸びる中空の中間歯１６と
を有し、当該歯１６にはその全長に亘り、容器１２に収容された製品が流入することができ、少なくとも１つの側方出口２０を介して歯１６の長手方向の端部１８近傍に開口する内部流路２８が設けられている。
【００２６】
　本発明によれば、歯の構造は、出口２０から出た製品が、前記第１および第２の端部の歯２２を越えて流出するのを防ぐ。
【００２７】
　したがって、実際にはすべての製品は、第１および第２端部歯２２により画定された空間内のみを流れることとなり、製品の正確な塗布を保証することができる。
【００２８】
　このため、第１および第２端部歯２２は、その外側側面、すなわち中間歯１６と反対側の面に出口を持たない。
【００２９】
　このおかげで、出口２０を出た製品が第１および第２端部歯２２を越えて流れ出ることがない。したがって、毛髪に塗布された製品が端部歯の外側側面と接触する場合のみ、該製品が当該側面に沿って流れることになる。
【実施例２】
【００３０】
　本発明の別の実施形態では、第１および第２端部歯２２は中間歯１６に対向する内側側面にも出口２０を持たない。つまり第１および第２端部歯２２は出口２０を持たない。したがって、製品が第１および第２端部歯２２から出ることがなく、よって外側に流出することがない。
【００３１】
　さらに、製品が第１および第２端部歯２２から流出することが無いので、当該端部歯２２を硬質にすることができ、これにより流路２８内における製品の詰まりを防止できる。
【００３２】
　このように、出口２０は少なくとも中間歯１６に配置することができる。特に、長手方向に伸びるいずれかの硬歯２２と対向する各面に配置できる。
【００３３】
　長手方向の開先２６は各側方出口２０から歯１６の先端１８に伸び、特に化粧製品の塗布を均一化する。開先２６は、出口２０が開口する第１端と、第１端の反対側に位置し、歯の自由端をなす第２端とを有する。
【００３４】
　図１に示す実施形態では、塗布ノズル１４は、２つの硬質の端部歯２２の間に横方向に配置された６つの中空中間歯１６を有し、したがって塗布面となる毛髪に化粧製品を広く塗布することができる。この構造は本発明を限定するものではなく、塗布ノズル１６が備える中空歯１６の歯の数は当該実施例より多くすることも少なくすることもできる。
【００３５】
　当該塗布ノズル１４を図２にさらに詳細に示す。図に見られるように、各中空歯１６は、歯１６の基部３０と、先端１８の下方に位置する当該歯の中間部分の間を伸びる内部流路２８を含み、当該流路は歯の各側面２４上の２つの出口２０に通じている。各出口２０は歯の外側でそれと関連する開先２６と連通している。この構造により、隣接する２つの歯１６の間に挟まれた毛髪を化粧製品で十分に包むことができるように、隣接する２つの歯１６の間に毛管作用による製品分配を確実に最適化する開先の長さを得ることができる。化粧製品は、隣接する２つの歯１６の対向する開先２６の間に化粧製品の膜を形成して保持するのに効果的な粘度特徴を有する。
【００３６】
　一例として、各歯１６および２２は２５ｍｍであり、歯１６および２２は出口２０の下に２ｍｍ間隔で配置され、開先２６の下端に位置する中空歯１６の各出口２０は、当該歯の先端から５ｍｍに位置する。溝の深さは０．５ｍｍである。
【００３７】
　したがって、各開先２６は、歯１６の間で当該開先の方向に化粧製品を導く役割を果たす。また、隣接する２つの歯の間の自由空間を増大させる深さを有しているため、各開先２６は毛管作用により製品の液滴の降下速度を低下させ、よって製品が頭皮に達せずに毛髪に染み込むことができる。
【実施例３】
【００３８】
　図１に示すように、塗布ノズル１４は、また、中空歯１６と硬歯２２との基部となり、容器１２の首部（図示せず）との取り付け手段を含むほぼ円筒形状の雌部分３２を含む。図２にさらに詳細に示されているように、円筒状部分３２の内部空隙３４は中空中間歯１６の内部流路２８と連通し、図１の前記容器１２の首部（図示せず）に適合するように設計されている。
【００３９】
　本発明の好適な実施例では、下部３２と同様に内部空隙３４は円筒形状で、容器１２の首部周縁に設けられたねじ山（図示せず）と螺合して取り付け手段を形成するように設計されたねじ山３６を備える。この構造により、塗布ノズル１４を容易に容器１２に取り付けることができる。
【００４０】
　上記の構造は本発明を限定するものではないことに注意されたい。塗布ノズル１４は、連結装置など、他のいかなる方法によっても容器１２に取り付けることができる。
【００４１】
　有利には、塗布ノズル１４は成形によって製造された単一の部品である。
【実施例４】
【００４２】
　図３ないし５は、上述の塗布ノズル１４を成形するための金型４０を示す。
【００４３】
　図３ないし５に示すように、当該金型は一体式の雌要素４２と、中子を形成する一体式の雄要素４３とからなる。
【００４４】
　図３に示すように、一体式の雌要素４２は：
　−　塗布ノズル１４のほぼ円筒形状の部分３２を形成するように設計された第一の下方部分４４と、
　−　塗布ノズル１４の横端部に配置される硬歯２２を形成するように設計された、前記下方部分４４から伸びる２つの上方部分４６と、
　−　下方部分４４から伸びて中空歯１６を形成するように設計された、前記上方部分４６の間に位置する少なくとも１つの第２部分中間部４８と
を含み、当該第２部分中間部４８の内部側面５０に長手方向に設けられた隆起５２は、当該中間部分４８上方の内側に突出し、中間部４８上方とその上端５４との間を長手方向に伸びて開先２６と出口２０の一部を形成する。
【００４５】
　中子を形成する一体式の雄要素４３は、雌要素の下方部分４４にゆるく嵌合して円筒状部分３２の内部空隙３４を形成する下方部分５６を含み、その少なくとも１つの上方部分５８は雌要素の中間部４８にゆるく嵌合して中間歯１６の内部流路２８を形成する。
【００４６】
　また、雌要素４２の第２部分中間部４８の上方と雄要素の中間部分５８の上方は協働して中間歯１６の出口２０を形成するような形状となっている。
【００４７】
　さらに詳細には、図４および５に示すように、雄要素４３の各上方部分５８の一端６０は雌要素４２の各中間部分４８上方の中間部に位置する隆起５２の端６２の間にぴったりと嵌り、中間歯１６の出口２０を形成するように設計されている。
【００４８】
　有利には、雌要素の中間部分４８の長手方向に垂直な面「Ｐ」で見た各隆起５２の断面は、一定か、または雌要素の各中間部分４８上方の中間部に位置する内部端６２に向かって小さくなっており、雌要素４２を上方へ動かすことにより成形した中間歯１６を取り外すことができる（後述）。
【００４９】
　一体式の雌要素４２および一体式の雄要素４３はそれぞれ、金型４０を組み立てる際に協働するように設計された位置合わせ手段を含む。
【００５０】
　これらの手段は、少なくとも、雌要素の各中間部分４８上方の中間部に位置する隆起５２の端６２と係合する雄要素４３の各上方部分５８の上端６０から構造されているだけでなく、雌要素４２の構成部分の外側の位置合わせ手段からも構造されている。
【００５１】
　特に、位置合わせ手段は長手方向に伸びる３つのガイド柱（図示せず）を含み、当該ガイド柱は雄または雌要素４２，４３と一体式であり、金型４０を組み立てる際にはその上に雌または雄要素４２，４３をスライドさせることができる。
【００５２】
　本発明の好適な実施形態では、金型４０は１回の成形作業で多数の塗布ノズル１４を製造できるように設計されており、したがって金型は多数の空隙を画定する一体式の雄または雌要素４２，４３を含み、位置合わせ手段は一体式の雄または雌要素４２，４３の１つの４隅に配置された４つの柱を含み、金型４０を組み立てる際はその上に別の一体式の雌または雄要素４２，４３をスライドさせることができる。
【実施例５】
【００５３】
　本構成においては、上述の金型４０を使用して上述の塗布ノズル１４を成形する方法は、順に、雄要素４３の上に雌要素４２を、長手方向、好適には垂直方向に取り付ける第１段階と、雌および雄要素４２，４３により画定された金型の空隙にポリマー材を注入する第２段階と、ポリマー材を硬化させる第３段階と、雌要素４２を雄要素４３から長手方向に分離し、塗布ノズル１４を金型から取り出す第４段階とを含む。
【００５４】
　塗布ノズル１４を取り出すにはあらゆる既知の手段を使用することができる。特に、振動または圧縮空気による取り出し方法を使用して、塗布ノズル１４を高速で取り出しても良い。
【００５５】
　ゆえに、本発明は、確実に毛髪への効果的な化粧製品の塗布を行うことができ、容易に大量生産できる収容／塗布ユニット１０を提供する。
【００５６】
　本明細書および特許請求の範囲において、特に断らない限り、特に数を示さない名詞は「少なくとも１つの」当該名詞と同義である。
【図面の簡単な説明】
【００５７】
【図１】容器および本発明による塗布ノズルを含む、化粧製品用の収容／塗布ユニットの概観図である。
【図２】図１の塗布ノズルの歯列を横から見る、塗布ノズルの断面図である。
【図３】長手方向および水平方向の面に沿って分離した本発明による金型の斜視図である。
【図４】水平方向に垂直な面における本発明による金型の拡大断面図である。
【図５】長手方向および水平方向の面における本発明による金型の拡大断面図である。
【符号の説明】
【００５８】
　１０　　収容／塗布ユニット
　１２　　容器
　１４　　塗布ノズル
　１６　　中間歯
　１８　　中間歯の先端
　２０　　出口
　２２　　端部歯
　２４　　中間歯の側面
　２６　　開先
　２８　　流路
　３０　　中間歯の基部
　３２　　下方円筒状部分
　３４　　内部空隙
　３６　　ねじ山
　４０　　金型
　４２　　雌要素
　４３　　雄要素
　４４　　雌要素の下方部分
　４６　　雌要素の上方部分
　４８　　雌要素の第２部分中間部
　５０　　第２部分中間部の内部側面
　５２　　隆起
　５４　　第２部分中間部の上端
　５６　　雄要素の下方部分
　５８　　雄要素の上方部分
　６０　　雄要素の上方部分の端部
　６２　　隆起の端
【図１】
2004089705.tif 000003
【図２】
2004089705.tif 000004
【図３】
2004089705.tif 000005
【図４】
2004089705.tif 000006
【図５】
2004089705.tif 000007